【手続補正書】
【提出日】平成20年7月9日(2008.7.9)
【手続補正１】
【補正対象書類名】特許請求の範囲
【補正対象項目名】全文
【補正方法】変更
【補正の内容】
【特許請求の範囲】
【請求項１】
共通のスタート（１０１）及びゴール（１０４）と少なくとも１つの互いに重複する部分を有し且つそれぞれが３つ以上の交差点を含む一対の歩行コースの各々を各参加者がスタートからゴールへ進行する研修活動において使用される一対の教育セットであって、各歩行コースに対応する前記教育セットの各対が、
（Ｎ−ｎ）個（Ｎは３以上の整数、ｎはＮよりも小さい１以上の整数、Ｎ−ｎは２以上の整数）のこま単位（５０１）を描いたこま図シート（１０５ａ、ｂ、ｃ）であって、前記こま単位の各々が、対応する歩行コースのＮ個の交差点のうち（Ｎ−ｎ）個の交差点の各々を図形により示し、且つ各こま単位に示される交差点の前記歩行コース上の順番に従ってこま図シートに描かれた、こま図シートと、
それぞれが１つのこま単位を描いたｎ個の割り込みこま図シート（１０６ａ、ｂ、ｃ）であって、前記こま単位の各々が、前記Ｎ個の交差点うち前記（Ｎ−ｎ）個の交差点以外のｎ個の交差点の各々を図形により示す、ｎ個の割り込みこま図シートと、
を有し、
前記ｎ個の割り込みこま図シートは、異なる歩行コースを歩く各参加者が、前記こま図シートに従って歩行コースを進行しながら、歩行コース上に配置された他の歩行コース用の割り込みこま図シートを入手し、前記割り込みこま図シートを歩行コースの重複する部分で互いに交換することにより、前記割り込みこま図シートに従って前記ｎ個の交差点を進行してゴールへ到達できるように、前記歩行コースにおいて前記重複する部分の少なくとも１つよりも後の交差点を示し、
前記割り込みこま図シートを交換するための前記歩行コース上のポイント（ＶＩＰ）を示す看板（１１４）を更に有する、一対の教育セット。
【請求項２】
前記こま図シート及び割り込みこま図シートのこま単位の各々が、そこに示された交差点を特定するための図と、前記交差点への進入路を示す矢印と、前記交差点からの退出路を示す矢印と、を含む、請求項１に記載の一対の教育セット。
【請求項３】
前記Ｎ個の交差点が、前記歩行コース上において参加者が「道なりで規定される方向ではない方向に進行する交差点」であり、
前記こま図シート及び割り込みこま図シートのこま単位の各々が、各交差点に関して、交差する道の本数、交差する道の角度、交差する道の中心線、交差する道の道幅、交差する道に近隣する看板、電信柱、外灯等（以下、目標物等と呼ぶ）のうち少なくとも一つ、
あるいは、「前記道なりで規定される方向ではない方向に進行する交差点」間の距離、または、「道なりで規定される方向ではない方向に進行する交差点」間に存在する道なりで進行する交差点における道なりの選択基準、または、「道なりで規定される方向ではない方向に進行する交差点」間に存在する目標物等を表示したものの内少なくとも一つを示す、請求項１に記載の一対の教育セット。
【請求項４】
前記こま図シート（１０５ａ、ｂ、ｃ）および割り込みこま図シート（１０６ａ、ｂ、ｃ）が、一つの歩行コースに対して複数の種類用意されている、請求項１に記載の一対の教育セット。
【請求項５】
前記こま図シートのこま単位の各々が、そこに示された交差点の歩行コース上の順番を示す番号を含み、
前記割り込みこま図シートのこま単位の各々が、そこに示された交差点の前の交差点又は次の交差点を示す前記第１のこま単位の番号を含む、請求項１に記載の一対の教育セット。
【請求項６】
前記割り込みこま図シートが、前記歩行コースの識別情報を記録する情報記録手段（１３０）を備える、請求項１に記載の一対の教育セット。
【請求項７】
前記割り込みこま図シートが裏面に付着手段を備える、請求項１に記載の一対の教育セット。
【請求項８】
前記割り込みこま図シートを保持する部位（１０９）と、参加者の識別情報を記録する部位（１０８）と、ゴールへの到達時間を記録する部位（１１０）と、有する記録シート（１０７）を更に有する、請求項１に記載の一対の教育セット。
【請求項９】
前記割り込みこま図シートを保持する部位（１０９）と、ゴールへの到達時間を記録する部位（１１０）と、参加者の識別情報を記録する情報記録手段（１３０ｄ）と、を有する記録シート（１０７）を更に有する、請求項１に記載の一対の教育セット。
【請求項１０】
所定条件下でゴールへの到達することを条件として参加者へ付与される、得点情報を記録した得点シート（１１５）を更に有する、請求項１に記載の一対の教育セット。
【請求項１１】
前記得点シートが、得点情報を記録する情報記録手段（１３０ｂ）を有する、請求項１０に記載の一対の教育セット。
【請求項１２】
前記歩行コースが少なくとも１つのチェックポイントを含み、
チェックポイント又はゴールへの標準到達時間を表示するシート（１１１）であって、前記標準到達時間が参加者毎に予め設定されているシートを更に有する、請求項１に記載の一対の教育セット。
【請求項１３】
参加者の識別情報を記録する情報記録手段（５０３）及び当該参加者により選択されうるこま図シートの識別情報を記録する情報記録手段（５０５）を有するこま図購入シート（１３１）を更に有する、請求項４に記載の一対の教育セット。
【請求項１４】
前記歩行コースが少なくとも１つのチェックポイントを含み、
前記チェックポイント（ＩＰ，ＶＩＰ）に設けた、コース進行についての補足情報としての歩行コース名、チェックポイント番号、進行方向、及び進行速度を表示する看板（１１２，１１３，１１４）を更に含む、請求項３に記載の一対の教育セット。
【請求項１５】
共通のスタート（１０１）及びゴール（１０４）と少なくとも１つの互いに重複する部分を有し且つそれぞれが３つ以上の交差点を含む一対の歩行コースの各々を各参加者がスタートからゴールへ進行する研修活動を一対の教育セットを使用して行う方法であって、各歩行コースに対応する前記教育セットの各対が、
（Ｎ−ｎ）個（Ｎは３以上の整数、ｎはＮよりも小さい１以上の整数、Ｎ−ｎは２以上の整数）のこま単位（５０１）を描いたこま図シート（１０５ａ、ｂ、ｃ）であって、前記こま単位の各々が、対応する歩行コースのＮ個の交差点のうち（Ｎ−ｎ）個の交差点の各々を図形により示し、且つ各こま単位に示される交差点の前記歩行コース上の順番に従ってこま図シートに描かれた、こま図シートと、
それぞれが１つのこま単位を描いたｎ個の割り込みこま図シート（１０６ａ、ｂ、ｃ）であって、前記こま単位の各々が、前記Ｎ個の交差点うち前記（Ｎ−ｎ）個の交差点以外のｎ個の交差点の各々を図形により示す、ｎ個の割り込みこま図シートと、
を有し、
前記ｎ個の割り込みこま図シートは、異なる歩行コースを歩く各参加者が、前記こま図シートに従って歩行コースを進行しながら、歩行コース上に配置された他の歩行コース用の割り込みこま図シートを入手し、前記割り込みこま図シートを歩行コースの重複する部分で互いに交換することにより、前記割り込みこま図シートに従って前記ｎ個の交差点を進行してゴールへ到達できるように、前記歩行コースにおいて前記重複する部分の少なくとも１つよりも後の交差点を示し、
前記研修活動の方法が、
前記教育セットの第１組の割り込みこま図シートを前記重複する部分の少なくとも１つより前の第２の歩行コース上に配置し、前記教育セットの第２組の割り込みこま図シートを前記重複する部分の少なくとも１つより前の第１の歩行コース上に配置するステップと、
第１の参加者が、前記教育セットの第１組のこま図シートに従って第１の歩行コースを進行しながら、第１の歩行コース上に配置された前記教育セットの第２組の割り込みこま図シートを入手するステップと、
第２の参加者が、前記教育セットの第２組のこま図シートに従って第２の歩行コースを進行しながら、第２の歩行コース上に配置された前記教育セットの第１組の割り込みこま図シートを入手するステップと、
第１及び第２の参加者が、入手した割り込みこま図シートを前記重複する部分で互いに交換するステップと、
第１の参加者が、交換した割り込みこま図シートに従って第１の歩行コースを進行し、第２の参加者が、交換した割り込みこま図シートに従って第２の歩行コースを進行するステップと、
を有する研修活動の方法。